(57)【要約】      （修正有）【課題】人が屋根の上に上ることなく、積もった雪を下からの操作で安全に且つ各個人の体力にあった力で楽に操作できる、雪かき器具を有する装置を提供する。【解決手段】屋根上部に支柱２本を設置し滑車を取り付けたワイヤーを張る。雪かき器具前面にロープを取り付けこれを滑車に通し軒下までのばす。また雪かき器具のパイプ後部にもロープを取り付け軒下まで伸ばす。片方のロープを引くことに依り雪をかきおろし、他方のロープを引くことに依り雪かき器具を引き上げる。軒下でこの動作を繰返す事により安全に屋根の積雪をおろす事ができる。また雪かき器具の雪かき板には補助板が取り付けられてあり、これを上げ下げすることにより雪かき器具に当たる雪の量の調節が出来るので、老若男女を問わず楽に雪下ろしが出来る。【選択図】なし【特許請求の範囲】
【請求項１】
屋根上部に支柱９，９’を設置しその上部間に．滑車７上部穴に通したワイヤー１を張ってある．またワイヤー１両端にも滑車８・８’を固定してある．滑車７上部穴下にロープ５・５’が左右に向くように固定しそれぞれのロープの端を滑車８・８’に通し軒下まで伸ばしてある雪下ろし装置
【請求項２】
滑車７にロープ１６を通し雪かき板２０に固定してある．またロープ１６には滑車７を中心にして左右に１コずつ滑車７から離して結び目を作って雪かき器具１０の行き過ぎを止めるための役目をさせている．また等間隔に結び目のコブ１１多数を配したロープ１５を雪かき器具１０のパイプ２１の後部に取り付けてある．ロープ１５，１６の端は軒下まで伸ばして連結して設けてある雪下ろし装置
【請求項３】
雪かき板２０には補助板１９が取り付けられてあり補助板１９を上げ下げすることにより雪かき器具２０に当たる雪の量を調整できる雪下ろし装置
【発明の詳細な説明】
【発明の詳細な説明】
【発明の属する技術的分野】
【０００１】  この発明は雪の多く降る地帯で使用され屋根の積雪を除去する雪下ろし装置。
【背景技術】
【０００２】  雪が多く降る地帯では屋根の角度を変えたりヒーターを取り付けたり水や温水を流して積雪を除去している．又人が屋根に上がりスコップ・スノーダンプ等を使用して屋根の積雪を除去している
【発明が解決しようとする課題】
【０００３】  そこで従来の屋根の除雪方法では次のような問題があった．屋根の角度を変えたりヒーターを取り付けたり水や温水を流したりする装置はたいへんお金のかかることです．又人が屋根に上がって除雪作業をする場合は積雪に足を滑らせて屋根面から転落する危険がある．又スコップ・スノーダンプ等を使って雪下ろし作業をする時は多大な労力を要する．
【発明を実施するための形態】
【０００４】  以下本発明の実施の形態を図面を参照にして説明する．
【図面の簡単な説明】
【図１】本発明の使用斜視図
【図２】本発明の使用側面図
【図３】本発明の一部器具の説明図
【図４】本発明の雪かき器具正面図
【図５】本発明の雪かき器具側面図
【図６】本発明の雨樋保護カバー取り付け図
【図７】本発明の雨樋保護カバー部品図
【符号の説明】１    ワイヤー                        ９’    支柱
２    ワイヤー                        １０    雪かき器具
２’  ワイヤー                        １１    結びコブ
３    ワイヤー                        １２    結びコブ
３’  ワイヤー                        １２’  結びコブ
４    ワイヤー                        １３    屋根
４’  ワイヤー                        １４    棟
５    ロープ                          １５    ロープ
５’  ロープ                          １６    ロープ
６    支柱基部                        １７    軒
６’  支柱基部                        １８    雨樋保護カバー
７    滑車                            １９    補助板
８    滑車                            ２０    雪かき板
８’  滑車                            ２１    雪かき器具パイプ
９    支柱                            ２２    雨樋
【課題を解決するための手段】
【０００５】  本発明は上記の課題を解決するために屋根両端に支柱９・９’を設置し支柱９・９’の下部には棟１４にのる支柱基部６・６’を有し．支柱９はワイヤー２・２’・４で支えている．支柱９’はワイヤー３・３’・４’で支えている．滑車７上部穴にワイヤー１を通し前期の支柱９・９’の上部に張る．ワイヤー１両端の付け根部に滑車８・８’を取り付け固定する．又前記滑車７の上部穴の下にロープ５を左向きに固定し他端を滑車８に通す．滑車７の上部穴の下にはロープ５’を右向きに固定し他端を滑車８’に通す．それぞれロープ５・５’の端を屋根の下の操作できる手元まで伸ばし設置する．又前記の滑車７にロープ１６を通す．この時滑車７を中心にして滑車７から少し離して左右に結び目１２・１２’を軽く結んで作っておき．雪かき器具１０の雪かき板２０前面中央部に固定する．又ロープ１５は引くときに手が滑らず力が入るように等間隔に結び目でコブ１１を多数作り雪かき器具１０のパイプ２１後部に固定する．又ロープ１５・１６の端を屋根の下の操作できる手元まで伸ばし連結する．そしてロープ１５を引き雪かき板２０が軒先１７少し手前に来た時滑車７に結び目１２が当たる位置で結び目を締め付けコブにして雪かき器具１０が軒下に落ちないようにする．又ロープ１６を引いて雪かき板２０がワイヤー１の下まできて且つ積雪の上にきた時に滑車７に結び目１２’が当たる位置で結び目を締め付けコブにして．これ以上上にあがらないようにする．又老若男女が各自の体力に合った力で雪下ろし作業が楽に出来るように雪かき板２０に補助板１９を取り付けこれを上下させ雪かき器具１０にかかる雪の量を調節する．これを行なうことによってロープ１５にかかる力の強弱の調整ができる．すなわち作業者個人の体力に見合った雪の量を自分で調整できる．又雪かき器具１０のパイプ２１に対して雪かき板２０の取り付け角度θは７５°前後とする。又補助板１９の上部をパイプ２１の後部側に向け曲げている．これは補強板１９の強度を上げる為と雪かきをしている時にかいた雪が後ろへこぼれるのを防ぐ役目をしている。又支柱を支える為にワイヤー２・２’・３・３’・４・４’を張っている．軒１７には雨樋２２がありそのままワイヤー２を張ると雨樋２２が割れる為．保護カバー１８を取り付けてある．これにより雨樋２２の割れを防いでいる．ワイヤー２’・３・３’の当たる雨樋にも同様の雨樋保護カバーが取り付けられている。又ワイヤー４・４’下部には雨樋または割れる物が無いので保護カバーはない。
【本発明の使用方法】
【０００６】  ロープ１６で雪かき器具１０をワイヤー１の下に止まるまで引きロープ１６を持ったままロープ５・ロープ５’のいずれか一方を引き雪かき器具１０を任意の位置まで横移動させ前記のロープをはなす．次にロープ１６を緩めて雪かき器具を積雪上に下ろしロープ１６をはなす．そしてロープ１５で雪かき器具１０を棟１４から軒１７に向け止まるまで引き積雪をかきおろしロープ１５を離す．次にロープ１６を止まるまで引き雪かき器具１０をワイヤーの下まで引き上げる．次にロープ１６を持ったままロープ５又はロープ５’のいずれか一方を引き次に雪かきをしようとする任意の位置まで横移動させる．以下同じ動作の繰り返しで積雪をかきおろす．
【発明の効果】
【０００７】  したがって人が屋根の上に上がることなく下からの操作で雪下ろし作業を安全に且つ自分の体力に合った雪の量をかき下ろすことができる．又屋根の角度を変えたりヒーターを取り付けて雪を溶かしたり．水や温水を流す装置を取り付けて雪を溶かす等の工事費や高熱費が必要ない．
【図１】
2012219612.tif 000002
【図２】
2012219612.tif 000003
【図３】
2012219612.tif 000004
【図４】
2012219612.tif 000005
【図５】
2012219612.tif 000006
【図６】
2012219612.tif 000007
【図７】
2012219612.tif 000008